(57)【特許請求の範囲】
【請求項１】
浴室および浴室に隣接する洗面所を連動して暖める２室暖房システムであって、
浴室に設けられ、浴室を暖める浴室暖房機器と、
洗面所に設けられ、洗面所を暖める洗面所暖房機器と、
前記浴室暖房機器と前記洗面所暖房機器の動作を制御する制御部と、
浴室温度を検出する浴室温度検出手段と、
洗面所温度を検出する洗面所温度検出手段と、を備え、
前記浴室暖房機器は、
前記浴室暖房機器の内部に空気を取り込む第一取込口と、
前記第一取込口から取り込まれた空気を前記浴室暖房機器の外部に吹出す第一吹出口と、
前記第一取込口から取り込まれた空気を前記第一吹出口から吹出すための第一送風手段と、
前記第一取込口から取り込まれた空気を電気的に加熱する第一電気式加熱手段と、を備え、
前記洗面所暖房機器は、
前記洗面所暖房機器の内部に空気を取り込む第二取込口と、
前記第二取込口から取り込まれた空気を前記洗面所暖房機器の外部に吹出す第二吹出口と、
前記第二取込口から取り込まれた空気を前記第二吹出口から吹出すための第二送風手段と、
前記第二取込口から取り込まれた空気を電気的に加熱する第二電気式加熱手段と、を備え、
前記制御部は、前記浴室暖房機器と前記洗面所暖房機器の消費電力の合計が所定値以下でかつ、前記浴室温度と前記洗面所温度の差に応じて前記浴室暖房機器および前記洗面所暖房機器を制御し、
前記制御部は、前記浴室温度および前記洗面所温度が予め設定された第一設定温度に到達した場合において、前記第一電気式加熱手段と前記第二電気式加熱手段への通電量を前記第一設定温度に到達する前よりも下げる、および／または前記第一送風手段と前記第二送風手段からの送風量を前記第一設定温度に到達する前よりも少なくし、
前記制御部は、前記浴室暖房機器および前記洗面所暖房機器の動作を開始してから所定時間経過後に、浴室および洗面所の設定温度を前記第一設定温度よりも低い第二設定温度に変更し、
前記浴室暖房機器は、前記第一吹出口から吹出される空気の吹出し向きを変更可能な第一ルーバを有し、
前記制御部は、前記第一設定温度に到達する間の空気の吹出し向きを第一方向となるように前記第一ルーバを制御し、前記第一設定温度に到達した後の空気の吹出し向きを前記第一方向とは異なる第二方向となるよう前記第一ルーバを制御することを特徴とする２室暖房システム。
【請求項２】
前記制御部は、前記浴室暖房機器および前記洗面所暖房機器の動作が開始された直後の前記浴室温度が前記洗面所温度よりも高い場合は、前記洗面所暖房機器を動作させ、前記浴室温度と前記洗面所温度が略同一となるように制御し、
前記浴室温度が前記洗面所温度よりも低い場合は、前記浴室暖房機器を動作させ、前記浴室温度と前記洗面所温度が略同一となるよう制御することを特徴とする請求項１に記載の２室暖房システム。
【請求項３】
浴室および浴室に隣接する洗面所を連動して暖める２室暖房システムであって、
浴室に設けられ、浴室を暖める浴室暖房機器と、
洗面所に設けられ、洗面所を暖める洗面所暖房機器と、
前記浴室暖房機器と前記洗面所暖房機器の動作を制御する制御部と、
浴室温度を検出する浴室温度検出手段と、
洗面所温度を検出する洗面所温度検出手段と、を備え、
前記浴室暖房機器は、
前記浴室暖房機器の内部に空気を取り込む第一取込口と、
前記第一取込口から取り込まれた空気を前記浴室暖房機器の外部に吹出す第一吹出口と、
前記第一取込口から取り込まれた空気を前記第一吹出口から吹出すための第一送風手段と、
前記第一取込口から取り込まれた空気を電気的に加熱する第一電気式加熱手段と、を備え、
前記洗面所暖房機器は、
前記洗面所暖房機器の内部に空気を取り込む第二取込口と、
前記第二取込口から取り込まれた空気を前記洗面所暖房機器の外部に吹出す第二吹出口と、
前記第二取込口から取り込まれた空気を前記第二吹出口から吹出すための第二送風手段と、
前記第二取込口から取り込まれた空気を電気的に加熱する第二電気式加熱手段と、を備え、
前記制御部は、前記浴室暖房機器と前記洗面所暖房機器の消費電力の合計が所定値以下でかつ、前記浴室温度と前記洗面所温度の差に応じて前記浴室暖房機器および前記洗面所暖房機器を制御し、
前記制御部は、前記浴室暖房機器および前記洗面所暖房機器の動作が開始された直後の前記浴室温度が前記洗面所温度よりも高い場合は、前記洗面所暖房機器を動作させ、前記浴室温度と前記洗面所温度が略同一となるように制御し、
前記浴室温度が前記洗面所温度よりも低い場合は、前記浴室暖房機器を動作させ、前記浴室温度と前記洗面所温度が略同一となるよう制御し、
前記制御部は、前記第一設定温度に到達するまでの浴室および洗面所の単位時間当たりの温度上昇量に応じて、前記浴室暖房機器の最大出力に対する前記浴室暖房機器の出力の割合である通電割合と、前記洗面所暖房機器の最大出力に対する前記洗面所暖房機器の出力の割合である通電割合と、を変更することを特徴とする２室暖房システム。
【発明の詳細な説明】
【技術分野】
【０００１】
本発明は、浴室と浴室に隣接する洗面所を温める２室暖房システムに関する。
【背景技術】
【０００２】
従来、冬場の入浴時等に暖かい室内から寒い洗面所や浴室へ移動し、熱めのお湯に入浴する一連の動作の中で、急激な温度差が身体への悪影響を及ぼすヒートショックを防止するために洗面所や浴室の温度差を無くすことを目的に洗面所や浴室双方への暖房機器の設置が推奨されている。
【０００３】
下記特許文献１に、浴室および洗面所に暖房機器を設置する２室暖房システムが提案されている。
【０００４】
下記特許文献１に記載された２室暖房システムは、浴室や洗面所に設けた暖房機器によって、双方を強制的に暖めてヒートショックを防止することができる。さらに、暖房開始時刻を予め設定しておくことで、毎日その設定時刻に暖房運転が開始され、使用者が毎日暖房スイッチを操作する必要が無く使い勝手を良くしたものである。
【先行技術文献】
【特許文献】
【０００５】
【特許文献１】特開２００２−２２２４０号公報
【発明の概要】
【発明が解決しようとする課題】
【０００６】
上記特許文献１に記載された２室暖房システムは、ヒートショックは防止することができるが、電気式の加熱手段を使用する浴室暖房機器および洗面所暖房機器は消費電力が大きく、浴室と洗面所の温度差をなくすため両機器を同時運転させた場合、多くの電力を消費することにより、アンペアブレーカーの最大電気容量を上回りブレーカーが落ちる恐れがある。あるいはアンペアブレーカーの最大電気容量を圧迫し、他の電気製品が使用できなくなる恐れがある。一方で、アンペアブレーカーが落ちることや最大電気容量を圧迫することを防止するために浴室暖房機器や洗面所暖房機器の消費電力を小さくすると、暖房性能が低下するため、冬場などにおいてはヒートショックを防止できる温度まで上昇できない恐れがある。
【０００７】
本発明はこのような課題に鑑みてなされたものであり、その目的は、ヒートショックを防止するとともに、アンペアブレーカーの最大電気容量の圧迫を抑制可能な２室暖房システムを提供することにある。
【課題を解決するための手段】
【００１４】
上記課題を解決するために、本発明に係る２室暖房システムは、浴室暖房機器は、浴室および浴室に隣接する洗面所を連動して暖める２室暖房システムであって、浴室に設けられ、浴室を暖める浴室暖房機器と、洗面所に設けられ、洗面所を暖める洗面所暖房機器と、前記浴室暖房機器と前記洗面所暖房機器の動作を制御する制御部と、浴室温度を検出する浴室温度検出手段と、洗面所温度を検出する洗面所温度検出手段と、を備え、前記浴室暖房機器は、前記浴室暖房機器の内部に空気を取り込む第一取込口と、前記第一取込口から取り込まれた空気を前記浴室暖房機器の外部に吹出す第一吹出口と、前記第一取込口から取り込まれた空気を前記第一吹出口から吹出すための第一送風手段と、前記第一取込口から取り込まれた空気を電気的に加熱する第一電気式加熱手段と、を備え、前記洗面所暖房機器は、前記洗面所暖房機器の内部に空気を取り込む第二取込口と、前記第二取込口から取り込まれた空気を前記洗面所暖房機器の外部に吹出す第二吹出口と、前記第二取込口から取り込まれた空気を前記第二吹出口から吹出すための第二送風手段と、前記第二取込口から取り込まれた空気を電気的に加熱する第二電気式加熱手段と、を備え、前記制御部は、前記浴室暖房機器と前記洗面所暖房機器の消費電力の合計が所定値以下でかつ、前記浴室温度と前記洗面所温度の差に応じて前記浴室暖房機器および前記洗面所暖房機器を制御し、前記制御部は、前記浴室温度および前記洗面所温度が予め設定された第一設定温度に到達した場合において、前記第一電気式加熱手段と前記第二電気式加熱手段への通電量を前記第一設定温度に到達する前よりも下げる、および／または前記第一送風手段と前記第二送風手段からの送風量を前記第一設定温度に到達する前よりも少なくし、前記制御部は、前記浴室暖房機器および前記洗面所暖房機器の動作を開始してから所定時間経過後に、浴室および洗面所の設定温度を前記第一設定温度よりも低い第二設定温度に変更し、前記浴室暖房機器は、前記第一吹出口から吹出される空気の吹出し向きを変更可能な第一ルーバを有し、前記制御部は、前記第一設定温度に到達する間の空気の吹出し向きを第一方向となるように前記第一ルーバを制御し、前記第一設定温度に到達した後の空気の吹出し向きを前記第一方向とは異なる第二方向となるよう前記第一ルーバを制御することを特徴とする。
【００１５】
第一の発明の構成とすることで、浴室暖房機器と洗面所暖房機器とを設け、浴室と洗面所を暖めることができるため、浴室と洗面所の温度差を低減でき、ヒートショックを防止することができる。さらに、制御部は、浴室温度検出手段と洗面所温度検出手段によって浴室温度と洗面所温度を検出可能であり、浴室温度と洗面所温度によって浴室と洗面所のどちらの部屋を優先的に暖めるとヒートショック防止に効率的であるかを判断可能である。さらに、浴室暖房機器と洗面所暖房機器の消費電力の合計が所定値以下となるように浴室温度と洗面所温度の温度差に応じて浴室暖房機器および洗面所暖房機器を制御することができるため、浴室暖房機器と洗面所暖房機器を最大電力で運転することがなく、最大電気容量を圧迫することを防止できる。
また、第一設定温度に到達後は、その第一設定温度を維持するだけでよく、第一電気式加熱手段や第二電気式加熱手段への通電量を下げることができることや、第一送風手段や第二送風手段からの送風量を少なくすることができ、浴室暖房機器および洗面所暖房機器の消費電力を低減することが可能で、最大電気容量を圧迫することを抑制できる。
また、浴室暖房機器および洗面所暖房機器の動作を開始、すなわち入浴前に使用者は入浴行為を行うために洗面所に移動することになり、洗面所に移動する前にいた居室との温度差を小さくすることが必要であり、第一設定温度に設定することでヒートショックを防止できる。また、ヒートショックは、入浴までが最もリスクが高く、入浴後は入浴前と比較するとリスクは低減側となる。浴室暖房機器および洗面所暖房機器の暖房運転によって温度が上がっていれば更にヒートショックのリスクは低減側となる。したがって、入浴までは、第一設定温度に設定し、浴室暖房機器および洗面所暖房機気の動作を開始してから所定時間経過後に第一設定温度よりも低い第二設定温度に変更することで消費電力を抑制することができる。
また、第一設定温度に到達するまでは浴室全体を暖める必要があるため第一方向に空気を吹出し、第一設定温度に到達した場合は、使用者に空気が当たるように吹出してしまうと使用者が寒いと感じてしまうため、第二方向に吹出すことで、直接使用者に空気が当たらずに使用者が寒いと感じてしまうことを防止できる。
【００１８】
第ニの発明の制御部は、前記浴室暖房機器および前記洗面所暖房機器の動作が開始され
た直後の前記浴室温度が前記洗面所温度よりも高い場合は、前記洗面所暖房機器を動作さ
せ、前記浴室温度と前記洗面所温度が略同一となるように制御し、前記浴室温度が前記洗
面所温度よりも低い場合は、前記浴室暖房機器を動作させ、前記浴室温度と前記洗面所温
度が略同一となるよう制御することを特徴とする。
【００１９】
第ニの発明の構成とすることで、浴室暖房機器および洗面所暖房機器の動作を開始して
間もない時に使用者が入浴行為を行った場合であっても、浴室と洗面所の温度差を低減す
ることができ、ヒートショックの発生を抑制することができる。
【００２０】
第三の発明の２室暖房システムは、浴室および浴室に隣接する洗面所を連動して暖める２室暖房システムであって、浴室に設けられ、浴室を暖める浴室暖房機器と、洗面所に設けられ、洗面所を暖める洗面所暖房機器と、前記浴室暖房機器と前記洗面所暖房機器の動作を制御する制御部と、浴室温度を検出する浴室温度検出手段と、洗面所温度を検出する洗面所温度検出手段と、を備え、前記浴室暖房機器は、前記浴室暖房機器の内部に空気を取り込む第一取込口と、前記第一取込口から取り込まれた空気を前記浴室暖房機器の外部に吹出す第一吹出口と、前記第一取込口から取り込まれた空気を前記第一吹出口から吹出すための第一送風手段と、前記第一取込口から取り込まれた空気を電気的に加熱する第一電気式加熱手段と、を備え、前記洗面所暖房機器は、前記洗面所暖房機器の内部に空気を取り込む第二取込口と、前記第二取込口から取り込まれた空気を前記洗面所暖房機器の外部に吹出す第二吹出口と、前記第二取込口から取り込まれた空気を前記第二吹出口から吹出すための第二送風手段と、前記第二取込口から取り込まれた空気を電気的に加熱する第二電気式加熱手段と、を備え、前記制御部は、前記浴室暖房機器と前記洗面所暖房機器の消費電力の合計が所定値以下でかつ、前記浴室温度と前記洗面所温度の差に応じて前記浴室暖房機器および前記洗面所暖房機器を制御し、前記制御部は、前記浴室暖房機器および前記洗面所暖房機器の動作が開始された直後の前記浴室温度が前記洗面所温度よりも高い場合は、前記洗面所暖房機器を動作させ、前記浴室温度と前記洗面所温度が略同一となるように制御し、前記浴室温度が前記洗面所温度よりも低い場合は、前記浴室暖房機器を動作させ、前記浴室温度と前記洗面所温度が略同一となるよう制御し、前記制御部は、前記第一設定温度に到達するまでの浴室および洗面所の単位時間当たりの温度上昇量に応じて、前記浴室暖房機器の最大出力に対する前記浴室暖房機器の出力の割合である通電割合と、前記洗面所暖房機器の最大出力に対する前記洗面所暖房機器の出力の割合である通電割合と、を変更することを特徴とする。
【００２１】
第三の発明の構成とすることで、浴室暖房機器と洗面所暖房機器とを設け、浴室と洗面所を暖めることができるため、浴室と洗面所の温度差を低減でき、ヒートショックを防止することができる。さらに、制御部は、浴室温度検出手段と洗面所温度検出手段によって浴室温度と洗面所温度を検出可能であり、浴室温度と洗面所温度によって浴室と洗面所のどちらの部屋を優先的に暖めるとヒートショック防止に効率的であるかを判断可能である。さらに、浴室暖房機器と洗面所暖房機器の消費電力の合計が所定値以下となるように浴室温度と洗面所温度の温度差に応じて浴室暖房機器および洗面所暖房機器を制御することができるため、浴室暖房機器と洗面所暖房機器を最大電力で運転することがなく、最大電気容量を圧迫することを防止できる。
また、浴室暖房機器および洗面所暖房機器の動作を開始して間もない時に使用者が入浴行為を行った場合であっても、浴室と洗面所の温度差を低減することができ、ヒートショックの発生を抑制することができる。
また、設置現場によって浴室や洗面所の大きさが異なることや、浴室や洗面所の初期の温度が異なることによって、浴室や洗面所の温度上昇の度合いが異なり、一様に制御してしまうと浴室または洗面所を無駄に暖めてしまう場合があるが、単位時間当たりの温度上昇量に応じて、浴室暖房機器と洗面所暖房機器への通電割合を変更することで浴室または洗面所を無駄に暖めてしまうことを防止し、消費電力を低減することが可能となり、最大電気容量が圧迫されることを抑制できる。        
【発明の効果】
【００２４】
本発明によれば、ヒートショックを防止するとともに、アンペアブレーカーの最大電気容量の圧迫を抑制可能な２室暖房システムを提供することできる。
【図面の簡単な説明】
【００２５】
【図１】第一実施形態にかかる２室暖房システムを浴室および洗面所に取り付けた状態を模式的に示す図である。
【図２】第一実施形態にかかる２室暖房システムの要部構成を表すブロック図である。
【図３】第一実施形態にかかる２室暖房システムの浴室暖房機器の断面を示す断面図である。
【図４】第一実施形態にかかる２室暖房システムの洗面所暖房機器の断面を示す断面図である。
【図５】第一実施形態にかかる２室暖房システムの浴室温度または洗面温度が第二設定温度に到達するまでの制御を表すフローチャートである。
【図６】第一実施形態にかかる２室暖房システムの浴室温度および洗面温度が第一設定温度に到達するまでの制御を表すフローチャートである。
【図７】第一実施形態にかかる２室暖房システムの浴室温度および洗面温度が第一設定温度に到達した後の制御を表すフローチャートである。
【図８】第一実施形態にかかる２室暖房システムの浴室温度と洗面温度の温度変化を表す図である。
【図９】第二実施形態にかかる２室暖房システムのフローチャートである。
【発明を実施するための形態】
【００２６】
以下、添付図面を参照しながら本発明の実施の形態について説明する。説明の理解を容易にするため、各図面において同一の構成要素に対しては可能な限り同一の符合を付して、重複する説明は省略する。なお、以下に示す実施の形態によりこの発明が限定されるものではない。
【００２７】
（第一実施形態）
この浴室暖房機器の配置態様及び洗面所暖房機器の配置態様について図１を参照しながら説明する。図１は、第一実施形態にかかる２室暖房システムを浴室および洗面所に取り付けた状態を模式的に示す図である。
【００２８】
図１に示すように、浴室暖房機器１００は、浴室２の浴室天井４に取り付けられるものである。浴室暖房機器１００は、浴室２内の空気を吸い込み第一電気式加熱部１０４（以下、第一ヒータ１０４）（図１においては明示しない）を経由させて浴室２に空気を吹き出すことができる。洗面所暖房機器２００は、洗面所３の洗面所天井５に取り付けられるものである。洗面所暖房機器２００は、洗面所３内の空気を吸い込み第二電気式加熱部２０４（以下、第二ヒータ２０４）（図１においては明示しない）を経由させて洗面所３に空気を吹き出すことができる。浴室暖房機器１００および洗面所暖房機器２００は、アンペアブレーカーＶにそれぞれ接続される。また、浴室暖房機器１００および洗面所暖房機器２００は、制御部３００に接続され、制御部３００の信号を受けて動作する。
【００２９】
次に、浴室暖房機器１００および洗面所暖房機器２００の内部構成について図２を参照しながら説明する。図２は、第一実施形態にかかる２室暖房システム１の要部構成を表すブロック図である。
【００３０】
図２に示すように、浴室暖房機器１００は、第一内部流路１１０と、浴室２内の温度を検出する浴室温度検出手段１０７（以下、浴室温度センサ）と、第一送風手段１０２（以下、第一ファン）と、第一ダンパ１０３と、第一ヒータ１０４と、第一排出経路１２０と、制御部３００と、を備える。第一内部流路１１０は、空気を浴室暖房機器１００内に取り込む第一取込口１０１と空気を吹き出す第一吹出口１０５とを連通し、第一取込口１０１から取り込まれた空気を第一吹出口１０５へ導くことができる。第一ファン１０２は、第一取込口１０１から空気を取り込み、第一取込口１０１から取り込まれた第一内部流路１１０の空気に流れを発生させる。第一吹出口１０５は、第一吹出口１０５から空気を吹出す際の吹出し方向を可変可能な第一ルーバ１０６を備える。
【００３１】
第一ダンパ１０３は、適宜駆動することにより、第一ファン１０２から送られてきた空気を第一吹出口１０５へ向かう第一内部流路１１０へ送る割合と、第一排出経路１２０へ送る割合と、を変更する。第一排出経路１２０は、第一ダンパ１０３において第一内部流路１１０から分岐し、第一取込口１０１から取り込まれた第一内部流路１１０の空気の少なくとも一部を浴室２の外部へ排出することができる。浴室温度センサ１０７は、第一内部流路１１０をながれる空気の温度を検出することができる。制御部３００は、第一ファン１０２と、第一ダンパ１０３と、第一ヒータ１０４と、第一ルーバ１０６の動作を制御することができる。
【００３２】
洗面所暖房機器２００は、第二内部流路２１０と、洗面所３内の温度を検出する洗面所温度検出手段２０７（以下、洗面所温度センサ）と、第二送風手段２０２（以下、第二ファン）と、第二ダンパ２０３と、第二ヒータ２０４と、第二排出経路２２０と、制御部３００と、を備える。第二内部流路２１０は、空気を洗面所暖房機器２００内に取り込む第二取込口２０１と空気を吹き出す第二吹出口２０５とを連通し、第二取込口２０１から取り込まれた空気を第二吹出口２０５へ導くことができる。第二ファン２０２は、第二取込口２０１から空気を取り込み、第二取込口２０１から取り込まれた第二内部流路２１０の空気に流れを発生させる。第二吹出口２０５は、第二吹出口２０５から空気を吹出す際の吹出し方向を可変可能な第二ルーバ２０６を備える。
【００３３】
第二ダンパ２０３は、適宜駆動することにより、第二ファン２０２から送られてきた空気を第二吹出口２０５へ向かう第二内部流路２１０へ送る割合と、第二排出経路２２０へ送る割合と、を変更する。第二排出経路２２０は、第二ダンパ２０３において第二内部流路２１０から分岐し、第二取込口２０１から取り込まれた第二内部流路２１０の空気の少なくとも一部を洗面所３の外部へ排出することができる。洗面所温度センサ２０７は、第二内部流路２１０を流れる空気の温度を検出することができる。制御部３００は、第二ファン２０２と、第二ダンパ２０３と、第二ヒータ２０４と、第二ルーバ２０６の動作を制御することができる。
【００３４】
制御部３００は、浴室暖房機器１００と洗面所暖房機器２００に接続される。より詳細には、浴室温度センサ１０７と、第一ファン１０２と、第一ダンパ１０３と、第一ヒータ１０４と、第一ルーバ１０６と、洗面所温度センサ２０７と、第一ファン２０２と、第二ダンパ２０３と、第二ヒータ２０４と、第二ルーバ２０６とに接続される。
【００３５】
制御部３００は、浴室暖房機器１００と洗面所暖房機器２００の消費電力を算出できる消費電力算出部３２０を有している。消費電力算出部３２０は、浴室暖房機器１００と洗面所暖房機器２００の消費電力を算出し、算出した消費電力を制御部３００に送信する。制御部３００は、消費電力算出部３２０から受信した消費電力に基づいて、浴室暖房機器１００と洗面所暖房機器２００を運転する（詳細は後述する）。
なお、消費電力算出部３２０は、電力計を設けてもよいし、予め運転モード毎の消費電力を記憶させたテーブル（図示しない）に基づいて算出してもよい。
【００３６】
次に、本実施形態の浴室暖房機器１００の内部構成について図３を参照して説明する。図３は、第一実施形態にかかる２室暖房システム１の浴室暖房機器１００の断面を示す断面図である。
【００３７】
図３に示すように、浴室暖房機器１００は、浴室暖房機器筐体１３０と、第一内部流路１１０と、浴室温度センサ１０７と、第一ファン１０２と、第一ダンパ１０３と、第一ヒータ１０４と、第一排出経路１２０と、第一ルーバ１０６を備える。第一内部流路１１０と、浴室温度センサ１０７と、第一ファン１０２と、第一ダンパ１０３と、第一ヒータ１０４と、第一排出経路１２０と、は、浴室暖房機器筐体１３０の内部に設けられている。
【００３８】
次に、本実施形態の洗面所暖房機器２００の内部構成について図４を参照して説明する。図４は、第一実施形態にかかる２室暖房システム１の洗面所暖房機器２００の断面を示す断面図である。
【００３９】
図４に示すように洗面所暖房機器２００は、洗面所暖房機器筐体２３０と、第二内部流路２１０と、洗面所温度センサ２０７と、第二ファン２０２と、第二ダンパ２０３と、第二ヒータ２０４と、第二排出経路２２０と、第二ルーバ２０６を備える。第二内部流路２１０と、洗面所温度センサ２０７と、第二ファン２０２と、第二ダンパ２０３と、第二ヒータ２０４と、第二排出経路２２０と、は、洗面所暖房機器筐体２３０の内部に設けられている。
【００４０】
次に、本実施形態の制御部３００のフローチャートについて図５から図７を参照して説明する。図５は、第一実施形態にかかる２室暖房システム１の浴室温度Ｔｙまたは洗面温度Ｔｓが第二設定温度Ｔ２に到達するまでの制御を表すフローチャートである。図６は、第一実施形態にかかる２室暖房システム１の浴室温度Ｔｙおよび洗面温度Ｔｓが第一設定温度Ｔ１に到達するまでの制御を表すフローチャートである。図７は、第一実施形態にかかる２室暖房システム１の浴室温度Ｔｙおよび洗面温度Ｔｓが第一設定温度Ｔ１に到達した後の制御を表すフローチャートである。
【００４１】
図５に示すように、制御部３００は、暖房運転（Ｓ１００）の信号を受けると暖房運転を開始する。その後、浴室温度センサ１０７や洗面所温度センサ２０７によって、浴室２および洗面所３の温度を検出し、制御部３００は、浴室温度Ｔｙもしくは洗面温度Ｔｓが予め設定される第二設定温度Ｔ２以上か否かを判断する（Ｓ１０１）。制御部３００は、ステップＳ１０１で浴室温度Ｔｙもしくは洗面温度Ｔｓが第二設定温度Ｔ２以上である場合は、ステップＢ（詳細は後述する）を実行する。
【００４２】
ステップＳ１０１で浴室２もしくは洗面所３が第二設定温度Ｔ２以下である場合、制御部３００は、浴室温度Ｔｙが洗面温度Ｔｓよりも高いか否かを判断する（Ｓ１０２）。ステップＳ１０２で浴室温度Ｔｙの方が洗面温度Ｔｓよりも高いと判断した場合、制御部３００は、第一ヒータ１０４への通電をＯＦＦし、第二ヒータ２０４のみに通電を行う（Ｓ１０３）。制御部３００は、ステップＳ１０３において、第二ヒータ２０４の熱量が最大出力となるように駆動させる。
【００４３】
次に、制御部３００は、浴室温度Ｔｙと洗面温度Ｔｓが同じ温度となるまでステップＳ１０３を継続して制御する。制御部３００は、浴室温度Ｔｙと洗面温度Ｔｓが同じ温度であるかを判断する（Ｓ１０４）。制御部３００は、ステップＳ１０４にて浴室温度Ｔｙと洗面温度Ｔｓが同じ温度になったと判断するとステップＢへ移行する。
【００４４】
また、ステップＳ１０２にて浴室温度Ｔｙが洗面温度Ｔｓよりも低いと判断した場合、制御部３００は、第二ヒータ２０４への通電をＯＦＦし、第一ヒータ１０４のみに通電を行う（Ｓ１０５）。制御部３００は、ステップＳ１０５において、第一ヒータ１０４の熱量が最大出力となるよう駆動させる。
【００４５】
次に、制御部３００は、浴室温度Ｔｙと洗面温度Ｔｓが同じ温度であるかを判断する（Ｓ１０６）。制御部３００は、ステップＳ１０６にて浴室温度Ｔｙと洗面温度Ｔｓが同じ温度であると判断するまでステップＳ１０５を継続する。制御部３００は、ステップＳ１０６にて浴室温度Ｔｙと洗面温度Ｔｓが同じ温度になったと判断するとステップＢへ移行する。
【００４６】
上述したように、浴室暖房機器１００と洗面所暖房機器２００とを設け、浴室２と洗面所３を暖めることができるため、浴室２と洗面所３の温度差を低減でき、ヒートショックを防止することができる。さらに、制御部３００は、浴室温度センサ１０７と洗面所温度センサ２０７によって浴室温度Ｔｙと洗面温度Ｔｓを検出可能であり、浴室温度Ｔｙと洗面温度Ｔｓによって浴室２と洗面所３のどちらの部屋を優先的に暖めたらヒートショック防止に効率的であるかを判断可能である。さらに、浴室温度Ｔｙと洗面温度Ｔｓの温度差に応じて浴室暖房機器１００および洗面所暖房機器２００を制御することができるため、浴室暖房機器１００と洗面所暖房機器２００を最大電力で運転することがなく、最大電気容量を圧迫することを防止できる。
【００４７】
次に、図６を参照して、浴室２および洗面所３が第一設定温度Ｔ１に到達する前の制御について説明する。なお、図６は上述したステップＢ以降のフローチャートを説明するものである。
【００４８】
図６に示すように、制御部３００は、ステップＳ１０１で浴室温度Ｔｙもしくは洗面温度Ｔｓが第二設定温度Ｔ２以上であると判断した場合、浴室温度Ｔｙおよび洗面温度Ｔｓが予め設定される第一設定温度Ｔ１（実施形態では２５℃）以上か否かを判断する（Ｓ２０１）。制御部３００は、ステップＳ２０１で浴室温度Ｔｙおよび洗面温度Ｔｓが第一設定温度Ｔ１以上であると判断するとステップＣ（詳細は後述する）に移行する。
【００４９】
ステップＳ２０１で浴室温度Ｔｙおよび洗面温度Ｔｓが第一設定温度Ｔ１以下であると判断した場合、制御部３００は、ループ初回かを判断する（Ｓ２０２）。ステップＳ２０２にてループが初回と判断した場合、制御部３００は、第一ヒータ１０４と第二ヒータ２０４それぞれを最大出力の５０％の出力となるよう設定する。
【００５０】
その後、制御部３００は、浴室温度Ｔｙおよび洗面温度Ｔｓを検出し、記憶する（Ｓ２０４）。その後、制御部３００は、浴室温度Ｔｙ及び洗面温度Ｔｓを記憶して１００秒経過したか否かを判断する（Ｓ２０５）。ステップＳ２０５にて１００秒経過すると再度浴室温度Ｔｙと洗面温度Ｔｓを検出し記憶し、ステップＳ２０４で記憶した浴室温度Ｔｙと洗面温度ＴｓとステップＳ２０４から１００秒経過後の浴室温度Ｔｙと洗面温度Ｔｓとを比較し、温度上昇の勾配を算出する（Ｓ２０６）。
【００５１】
制御部３００は、ステップＳ２０６にて算出した温度上昇の勾配を基に、浴室温度Ｔｙ勾配が洗面温度Ｔｓ勾配よりも大きいか否かを判断する（Ｓ２０７）。ステップＳ２０７にて浴室温度Ｔｙ勾配が洗面温度Ｔｓ勾配よりも大きい場合、制御部３００は、第一ヒータ１０４の出力を低下させ（例えば出力３０％）、第二ヒータ２０４の出力を増加（例えば７０％）させる（Ｓ２０８）。
【００５２】
ステップＳ２０７にて浴室温度Ｔｙ勾配が洗面温度Ｔｓ勾配よりも大きくないと判断されると、制御部３００は、浴室温度Ｔｙ勾配が洗面温度Ｔｓ勾配と同じであるか否かを判断する（Ｓ２０９）。ステップＳ２０９にて浴室温度Ｔｙ勾配と洗面温度Ｔｓ勾配が同じであると判断されると、制御部は、第一ヒータ１０４および第二ヒータ２０４の出力の状態を維持する（Ｓ２１０）。
【００５３】
ステップＳ２０９にて浴室温度Ｔｙ勾配が洗面温度Ｔｓ勾配と同じではないと判断される、すなわち浴室温度Ｔｙ勾配が洗面温度Ｔｓ勾配よりも小さいと判断されると、制御部３００は、第一ヒータ１０４の出力を増加させ（例えば出力７０％）、第二ヒータ２０４の出力を低下（例えば、出力３０％）させる（Ｓ２１１）。
【００５４】
制御部３００は、ステップＳ２０８、ステップＳ２１０、ステップＳ２１１にて設定した第一ヒータ１０４および第二ヒータ２０４の出力の状態にて、再度ステップＳ２０１で浴室温度Ｔｙと洗面温度Ｔｓが第一設定温度Ｔ１以上か否かを判断する。浴室温度Ｔｙと洗面温度Ｔｓが第一設定温度Ｔ１以下である場合は再度ステップＳ２０２に移行する。
【００５５】
制御部３００は、２回目のループであるためステップＳ２０２ではループ初回ではないと判断し、第一ヒータ１０４および第二ヒータ２０４の出力を現状維持させる（Ｓ２１２）。その後は、浴室温度Ｔｙと洗面温度Ｔｓが第一設定温度Ｔ１以上になるまでステップＳ２０１からステップＳ２１２を継続して実行する。
【００５６】
上述したように、設置現場によって浴室２や洗面所３の大きさが異なることや、浴室２や洗面所３の初期の温度が異なることによって、浴室２や洗面所３の温度上昇の度合いが異なり、一様に制御してしまうと浴室２または洗面所３を無駄に暖めてしまう場合があるが、単位時間当たりの温度上昇量すなわち温度勾配に応じて、浴室暖房機器１００と洗面所暖房機器２００への通電割合を変更することで浴室２または洗面所３を無駄に暖めてしまうことを防止することができる。したがって、浴室２および洗面所３の温度が所定値以内の範囲でそれぞれの部屋を暖めることができるためヒートショックを防止できるとともに、消費電力を低減することが可能となり、最大電気容量が圧迫されることを抑制できる。
【００５７】
次に、図７を参照して、浴室２および洗面３が第二設定温度Ｔ２に到達した後の制御について説明する。なお、図７は上述したステップＣ以降のフローチャートを説明するものである。
【００５８】
図７に示すように、ステップＳ２０１にて浴室温度Ｔｙと洗面温度Ｔｓが第一設定温度Ｔ１以上と判断すると、制御部３００は、第一ルーバ１０６の吹出し方向を浴槽側に変更する（Ｓ３０１）。浴室温度Ｔｙと洗面温度Ｔｓが第一設定温度Ｔ１に到達するまでは浴室２全体を暖める必要があるため第一方向（洗い場側）に空気を吹出し、第一設定温度Ｔ１に到達後は、使用者に空気が当たるように吹出してしまうと使用者が寒いと感じてしまうため、第二方向（浴槽側）に吹出すことで、直接使用者に空気が当たらずに使用者が寒いと感じてしまうことを防止できる。
【００５９】
ステップＳ３０１にて第一ルーバ１０６の吹出し方向を変更後は、第一ヒータ１０４および第二ヒータ２０４の出力を低下させる（Ｓ３０２）。具体的には、第一ヒータ１０４および第二ヒータ２０４の最大出力の２５％程度にする。なお、必ずしも２５％であることは要せず、０％にしてもよい。
【００６０】
次に、制御部３００は、浴室温度Ｔｙが洗面温度Ｔｓよりも高いか否かを判断する（Ｓ３０３）。浴室温度Ｔｙが洗面温度Ｔｓよりも高いと判断した場合、制御部３００は、洗面温度Ｔｓが第二設定温度Ｔ２以下であるか否かを判断する（Ｓ３０４）。洗面温度Ｔｓが第二設定温度Ｔ２以下で無い場合は、ステップＳ３０２に移行し、洗面温度Ｔｓが第二設定温度Ｔ２以下になるまで、ステップＳ３０２からステップ３０４を継続して行う。
【００６１】
ステップＳ３０４にて洗面温度Ｔｓが第二設定温度Ｔ２以下である場合は、制御部３００は、第一ヒータ１０４の出力を維持し、第二ヒータ２０４の出力を増加させる（Ｓ３０５）。なおステップＳ３０５では、第一ヒータ１０４の出力を維持すると説明したが、必ずしも維持することは要さず出力を低下させてもよい。
【００６２】
ステップＳ３０５にて第二ヒータ２０４の出力を増加させた状態で、制御部３００は、洗面温度Ｔｓと浴室温度Ｔｙの差が３℃（温度差３℃はヒートショックを防止できる目安である）以下であるか否かを判断する（Ｓ３０６）。制御部３００は、ステップＳ３０６にて洗面温度Ｔｓと浴室温度Ｔｙの差がヒートショック防止温度のよりも大きい場合は、ステップＳ３０５に戻り、ステップＳ３０６の条件を満たすまで継続する。制御部３００は、洗面温度Ｔｓと浴室温度Ｔｙの差がヒートショック防止温度よりも小さくなった場合は、ステップＳ３０２に戻り第一ヒータ１０４と第二ヒータ２０４の出力を再設定する。なお、ヒートショック防止温度の一例として３℃を挙げて説明したが、使用者が任意に設定できるようにしてもよい。
【００６３】
制御部３００は、ステップＳ３０３にて浴室温度Ｔｙが洗面温度Ｔｓよりも低いと判断した場合は、浴室温度Ｔｙが第二設定温度Ｔ２以下であるか否かを判断する（Ｓ３０７）。ステップＳ３０７にて浴室温度Ｔｙが第二設定温度Ｔ２よりも高いと判断した場合、ステップＳ３０２に移行し、ステップＳ３０７の条件が満たされるまで継続される。浴室温度Ｔｙが第二設定温度Ｔ２以下であると判断した場合、第一ヒータ１０４の出力を増加させ、第二ヒータ２０４の出力を維持する（Ｓ３０８）。なおステップＳ３０８では、第二ヒータ２０４の出力を維持すると説明したが、必ずしも維持することは要さず出力を低下させてもよい。
【００６４】
ステップＳ３０８にて第一ヒータ１０４の出力を増加させた状態で、制御部３００は、浴室温度Ｔｙと洗面温度Ｔｓの差が３℃（温度差３℃はヒートショックを防止できる目安である）以下であるか否かを判断する（Ｓ３０９）。制御部３００は、ステップＳ３０９にて浴室温度Ｔｙと洗面温度Ｔｓの差がヒートショック防止温度よりも大きい場合は、ステップＳ３０８に戻り、ステップＳ３０９の条件を満たすまで継続する。制御部３００は、洗面温度Ｔｓと浴室温度Ｔｙの差がヒートショック防止温度よりも小さくなった場合は、ステップＳ３０２に戻り第一ヒータ１０４と第二ヒータ２０４の出力を再設定する。なお、ヒートショック防止温度の一例として３℃を挙げて説明したが、使用者が任意に設定できるようにしてもよい。
【００６５】
図５から図７は、浴室温度Ｔｙや洗面温度Ｔｓに応じて第一ヒータ１０４と第二ヒータ２０４の出力を変更する例について説明したが、浴室温度Ｔｙや洗面温度Ｔｓに応じて第一ファン１０２や第二ファン２０２の出力を変更するようにしてもよい。
【００６６】
上述したように、第一設定温度Ｔ１に到達後は、その第一設定温度Ｔ１を維持するだけでよく、第一ヒータ１０４や第二ヒータ２０４への通電量を下げることができることや、第一ファン１０２や第二ファン２０２からの送風量を少なくすることができ、浴室暖房機器１００および洗面所暖房機器２００の消費電力を低減することが可能で、最大電気容量を圧迫することを抑制できる。
【００６７】
さらに、制御部３００は、外部の環境を判定する環境測定手段３１０を有する。環境測定手段３１０によって取得した外部環境の状態に基づいて、環境温度が低い場合すなわち冬場等は浴室温度Ｔｙ及び洗面温度Ｔｓの温度差を低減するために、浴室温度Ｔｙと洗面所温度の低い方の暖房機器を動作させる（図５のステップＳ１０２からステップＳ１０６参照）。また、環境温度が高い場合すなわち夏場等は、ヒートショックを防止できている温度（第一設定温度Ｔ１）にすでに達している場合が多く、ヒートショック防止温度以内の温度差となるように浴室暖房機器１００および洗面所暖房機器２００を動作させる（図７のステップＳ３０３からステップＳ３０９参照）。このように、外部環境の状態に基づいて動作させることで、いち早く浴室温度Ｔｙと洗面温度Ｔｓの温度差を小さくすることができ、ヒートショックを防止することができる。
【００６８】
次に図８を参照して、浴室温度Ｔｙと洗面温度Ｔｓの温度変化について説明する。図８は、第一実施形態にかかる２室暖房システム１の浴室温度Ｔｙと洗面温度Ｔｓの温度変化を表す図である。  
【００６９】
図８に示すように、浴室の初期温度をＴｙ０とし、暖房運転が開始されると浴室温度Ｔｙは上昇する。浴室温度Ｔｙが第一設定温度Ｔ１に到達すると浴室温度Ｔｙを維持すればよいため第一ヒータ１０４の出力が２５％に設定される。その後、使用者が浴室２に入室したであろう所定時間経過後に設定温度を第一設定温度Ｔ１よりも低い第二設定温度Ｔ２Ｔ２に設定する。その後、第二設定温度Ｔ２を維持するように制御部３００は制御する（図７参照）。
【００７０】
また、洗面の初期温度をＴｓ０とし、暖房運転が開始されると洗面温度Ｔｓは上昇する。洗面温度Ｔｓが第一設定温度Ｔ１に到達すると洗面温度Ｔｓを維持すればよいため第二ヒータ２０４の出力が２５％に設定される。その後、使用者が浴室に入室したであろう所定時間経過後に設定温度を第一設定温度Ｔ１よりも低い第二設定温度Ｔ２に設定する。その後第二設定温度Ｔ２を維持するように制御部は制御する（図７参照）。
【００７１】
次に浴室温度Ｔｙ勾配と洗面温度Ｔｓ勾配の算出方法について説明する。温度値読み込み（Ｓ２０４）は、ｔ１時点の浴室温度Ｔｙおよび洗面温度Ｔｓを検出、記憶する。その後１００秒経過後のｔ２の浴室温度Ｔｙおよび洗面温度Ｔｓを検出、記憶する。ｔ１時点のそれぞれの温度とｔ２時点のそれぞれの温度とから浴室温度Ｔｙ勾配と洗面温度Ｔｓ勾配を算出する。このように、算出した浴室温度Ｔｙ勾配と洗面温度Ｔｓ勾配を用いてステップＳ２０７からステップＳ２１１を実行する。ｔ１時点の浴室温度Ｔｙおよび洗面温度Ｔｓの検出から１００秒経過後ｔ２時点の浴室温度ＴｙおよびＴｓの検出する一例を挙げて説明したが、必ずしも１００秒経過後で無くてもよい。
【００７２】
（第二実施形態）
次に第二実施形態にかかる２室暖房システム１のフローチャートについて図９を参照して説明する。図９は、第二実施形態にかかる２室暖房システム１のフローチャートである。なお、以下の説明では、既に説明した部分と同様の部分については、既に説明した部分と同一の符号を付し、重複する説明を省略する。
【００７３】
図９に示すように、制御部３００は、暖房運転（Ｓ１００）の信号を受けると暖房運転を開始する。その後、第一ヒータ１０４および第二ヒータ２０４に通電する（Ｓ４０１）。制御部３００は、第一ヒータ１０４および第二ヒータ２０４に通電を開始してからの時間すなわち運転時間が所定時間経過したか否かを判断する（Ｓ４０２）。運転時間が所定時間を経過するまで、ステップＳ４０１の状態を維持し、運転時間が所定時間経過したと判断するとステップＣすなわちステップＳ３０１（図７参照）に移行する。
【００７４】
上述した第二実施形態とすることで、浴室暖房機器１００および洗面所暖房機器２００の動作を開始、すなわち入浴前に使用者は入浴行為を行うために洗面所３に移動することになり、洗面所３に移動する前にいた居室との温度差を小さくすることが必要であり、第一設定温度Ｔ１に設定することでヒートショックを防止できる。また、ヒートショックは、入浴までが最もリスクが高く、入浴後は入浴前と比較するとリスクは低減側となる。浴室暖房機器１００および洗面所暖房機器２００の暖房運転によって温度が上がっていれば更にヒートショックのリスクは低減側となる。したがって、入浴までは、第一設定温度Ｔ１に設定し、浴室暖房機器１００および洗面所暖房機器２００の動作を開始してから所定時間経過後に第一設定温度Ｔ１よりも低い第二設定温度Ｔ２に変更することで消費電力を抑制することができる。
【００７５】
上述した制御部３００が行うアンペアブレーカーの最大電気容量の圧迫を防止するとは、浴室暖房機器１００と洗面所暖房機３００とを運転させた際の合計の消費電力が所定の消費電力以下で運転させることをいう。
【００７６】
具体的に説明すると、例えば最大電気容量が５０Ａである場合、浴室暖房機器１００と洗面所暖房機器２００とを通常運転させてしまうと消費電力の合計が３０Ａになってしまい、他の電化製品を使用できる電気容量が２０Ａとなってしまい電気容量を圧迫させてしまう。そこで、制御部３００が、浴室暖房機器１００と洗面所暖房機器２００の消費電力の合計が２０Ａ以下に抑えた状態で運転させることで、最大電気容量の圧迫を軽減できる。さらに、制御部３００が、浴室温度Ｔｙと洗面所温度Ｔｓの温度差に応じて浴室暖房機器１００と洗面所暖房機器２００を制御することから、上述のように消費電力を抑えた状態であってもヒートショックを防止することができる。
【００７７】
浴室暖房機器１００と洗面所暖房機器２００の消費電力の合計が２０Ａ以下である例を挙げて説明したが、必ずしも２０Ａ以下であることを要せず、使用者が制御部３００を操作して任意に変更してもよい。
【００７８】
また、万が一アンペアブレーカーＶが落ちた場合は、制御部３００が使用者が任意に設定した所定の消費電力値を自動で下方に修正し、最大電気容量の圧迫を軽減するようにしてもよい。
【００７９】
また、環境測定手段３１０は、外部の測定として、アンペアブレーカーＶに接続される他の電化製品の使用状況を測定してもよく、例えば夏場や冬場等のエアコンが頻繁に使用され消費電力が増加しやすい場合において、消費電力が増加しやすい時期であることを制御部３００に通知してもよい。制御部３００は、環境測定手段３１０からの通知を受けて、浴室暖房機器１００と洗面所暖房機器２００の消費電力の合計の所定値を下方に修正してもよい。
【００８０】
消費電力算出部３２０の一例として、電力計を設けることについて説明したが、電流計を設けて消費電力を算出してもよい。また、電流を検出する電流検出回路を設けてもよい。
【００８１】
浴室と洗面所にそれぞれ、浴室暖房機器１００と洗面所暖房機器２００とが備えられている例について説明したが、追加で、浴室暖房機器１００や洗面所暖房機器２００を取り付ける際に、消費電力算出部３２０を制御部３００に後付けできるように構成してもよい。
【００８２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８３】
１  ２室暖房システム
２  浴室
３  洗面所（洗面）
４  浴室天井
５  洗面所天井
１００  浴室暖房機器
１０１  第一取込口
１０２  第一送風手段（第一ファン）
１０３  第一ダンパ
１０４  第一電気式加熱部（第一ヒータ）
１０５  第一吹出口
１０６  第一ルーバ
１０７  浴室温度検出手段（浴室温度センサ）
１１０  第一内部流路
１２０  第一排出経路
１３０  浴室暖房機器筐体
２００  洗面所暖房機器
２０１  第二取込口
２０２  第二送風手段（第二ファン）
２０３  第二ダンパ
２０４  第二電気式加熱部（第二ヒータ）
２０５  第二吹出口
２０６  第二ルーバ
２０７  洗面所温度検出手段（洗面所温度センサ）
２１０  第二内部流路
２２０  第二排出経路
２３０  洗面所暖房機器筐体
３００  制御部
３１０  環境測定手段
３２０  消費電力算出部
Ｖ  アンペアブレーカー
【図１】
0006727541.tif 000002
【図２】
0006727541.tif 000003
【図３】
0006727541.tif 000004
【図４】
0006727541.tif 000005
【図５】
0006727541.tif 000006
【図６】
0006727541.tif 000007
【図７】
0006727541.tif 000008
【図８】
0006727541.tif 000009
【図９】
0006727541.tif 000010